(57)【要約】【課題】センター装置側から受信機のグループ設定を行う場合において、このグループ設定の確実性を向上させることができる告知放送システムを提供すること。【解決手段】センター装置１０は、受信機２０を区分するグループを一意に識別するためのグループアドレスと、グループアドレスの設定を指示する制御コマンドと、を含んだグループ設定信号を受信機２０に送信するグループ設定制御部１８ａを備え、受信機２０は、グループ設定信号を受信した場合において、当該グループ設定信号に含まれる制御コマンドによってグループアドレスの設定が指示されている場合には、当該グループ設定信号に含まれるグループアドレスを、受信機２０が属するグループのグループアドレスとして、受信機２０のメモリ２９に記憶させるグループ設定制御部３０ａとを備える。ここで、センター装置１０のグループ設定制御部１８ａは、同一のグループ設定信号を複数繰り返して送信する。【選択図】図１
2010045654.tif 000002
【特許請求の範囲】
【請求項１】
送信手段から送信された告知放送信号を伝送線路を介して受信手段にて受信し、当該告知放送信号に基づく告知放送を当該受信手段にて行う告知放送システムであって、
前記送信手段は、前記受信手段を区分するグループを一意に識別するためのグループアドレスと、前記グループアドレスの設定を指示する制御コマンドと、を含んだグループ設定信号を前記伝送線路を介して前記受信手段に送信する送信側グループ設定制御手段を備え、
前記受信手段は、前記伝送線路を介して前記送信手段から送信された前記グループ設定信号を受信した場合において、当該グループ設定信号に含まれる前記制御コマンドによって前記グループアドレスの設定が指示されている場合には、当該グループ設定信号に含まれる前記グループアドレスを、当該受信手段が属するグループのグループアドレスとして、当該受信手段の記憶手段に記憶させる受信側グループ設定制御手段とを備え、
前記送信手段の前記送信側グループ設定制御手段は、同一の前記グループ設定信号を複数繰り返して送信すること、
を特徴とする告知放送システム。
【請求項２】
前記送信手段は、前記グループアドレス毎の重要度を特定する重要度情報を記憶する送信側記憶手段を備え、
前記送信手段の前記送信側グループ設定制御手段は、前記送信側記憶手段に記憶された重要度情報にて特定される重要度に応じた所定の間隔又は所定の回数で、前記グループ設定信号を送信すること、
を特徴とする請求項１に記載の告知放送システム。
【請求項３】
前記送信手段は、現在時刻を取得するための計時手段を備え、
前記送信手段の前記送信側グループ設定制御手段は、前記計時手段にて取得された現在時刻に応じた所定の間隔又は所定の回数で、前記グループ設定信号を送信すること、
を特徴とする請求項１又は２に記載の告知放送システム。
【発明の詳細な説明】
【技術分野】
【０００１】
本発明は、告知放送を行うための告知放送システムに関する。
【背景技術】
【０００２】
センターから複数の住戸に対して各種の告知放送を行うための告知放送システムが普及している。この告知放送システムは、概略的に、センター側に配置したセンター装置と、各住戸内に設置した受信機とを、ＣＡＴＶ等の伝送線路を介して相互に接続して構成されている。そして、地域のイベント開催等の一般放送や、火災や地震が発生した時の緊急放送を行う際、センター装置は告知放送信号を伝送線路を介して送信し、この告知放送信号を受信機が受信して、告知放送をスピーカにて音声出力する（例えば、特許文献１参照）。
【０００３】
ここで、告知放送においては、放送の目的や内容により、全ての住戸ではなく特定の住戸のみを対象に放送したい場合がある。例えば、特定の行政地区に関する情報については当該行政地区の各住戸にのみ放送したり、特定の老人会や婦人会に関する情報については当該老人会や婦人会に入会している各住戸にのみ放送したい場合がある。
【０００４】
このため、従来から、各住戸の受信機にグループアドレスを設定し、各受信機においては、センター装置から送信された告知放送信号に含まれるグループアドレスが自己に設定されたグループアドレスに合致する場合にのみ、当該告知放送信号による告知放送出力を行わせていた。
【０００５】
さらに、このようなグループアドレスの設定を係員が住戸に出向いて行うことは大変であるため、センター装置から受信機に向けてグループ設定信号を送信し、このグループ設定信号に基づいて受信機において自動的にグループアドレスの設定を行う技術も提案されている（例えば、特許文献２参照）。
【０００６】
【特許文献１】特開平９−８７５３号公報
【特許文献２】特開２００６−３１１０２４号公報
【発明の開示】
【発明が解決しようとする課題】
【０００７】
しかしながら、グループ設定信号により自動的にグループアドレスの設定を行う場合、受信機におけるグループアドレスの設定が正しく完了したか否かを、センター装置側から確認することができなかった。例えば、グループ設定信号が送信された場合に、伝送線路が災害等の理由によって断線していたり、あるいは受信機の電源がＯＦＦになっている可能性があり、このような場合には受信機においてグループアドレスの設定が行われないことになるが、当該グループアドレスの設定状態はセンター装置側から確認することができなかった。
【０００８】
ここで、グループ設定が正しく完了したか否かを確認するためには、グループ設定の完了時に受信機からセンター装置にグループ設定完了信号を送信させることとし、センター装置側では当該グループ設定完了信号の有無に基づいてグループ設定完了の有無を確認することも考えられる。しかしながら、告知放送システムは一般的にはセンター装置から受信機への下り方向での信号送信のみを行うことを目的に構成されており、上り方向への信号送信はシステム構成上から困難であるため現実的ではない。このため、受信機からの信号に依存することなく、グループ設定の確実性を高めることが要望されていた。
【０００９】
本発明は、上記に鑑みてなされたものであって、センター装置側から受信機のグループ設定を行う場合において、このグループ設定の確実性を向上させることができる告知放送システムを提供することを目的とする。
【課題を解決するための手段】
【００１０】
上述した課題を解決し、目的を達成するために、請求項１に記載の告知放送システムは、送信手段から送信された告知放送信号を伝送線路を介して受信手段にて受信し、当該告知放送信号に基づく告知放送を当該受信手段にて行う告知放送システムであって、前記送信手段は、前記受信手段を区分するグループを一意に識別するためのグループアドレスと、前記グループアドレスの設定を指示する制御コマンドと、を含んだグループ設定信号を前記伝送線路を介して前記受信手段に送信する送信側グループ設定制御手段を備え、前記受信手段は、前記伝送線路を介して前記送信手段から送信された前記グループ設定信号を受信した場合において、当該グループ設定信号に含まれる前記制御コマンドによって前記グループアドレスの設定が指示されている場合には、当該グループ設定信号に含まれる前記グループアドレスを、当該受信手段が属するグループのグループアドレスとして、当該受信手段の記憶手段に記憶させる受信側グループ設定制御手段とを備え、前記送信手段の前記送信側グループ設定制御手段は、同一の前記グループ設定信号を複数繰り返して送信することを特徴とする。
【００１１】
請求項２に記載の告知放送システムは、請求項１に記載の告知放送システムにおいて、前記送信手段は、前記グループアドレス毎の重要度を特定する重要度情報を記憶する送信側記憶手段を備え、前記送信手段の前記送信側グループ設定制御手段は、前記送信側記憶手段に記憶された重要度情報にて特定される重要度に応じた所定の間隔又は所定の回数で、前記グループ設定信号を送信することを特徴とする。
【００１２】
請求項３に記載の告知放送システムは、請求項１又は２に記載の告知放送システムにおいて、前記送信手段は、現在時刻を取得するための計時手段を備え、前記送信手段の前記送信側グループ設定制御手段は、前記計時手段にて取得された現在時刻に応じた所定の間隔又は所定の回数で、前記グループ設定信号を送信することを特徴とする。
【発明の効果】
【００１３】
請求項１に記載の告知放送システムによれば、グループ設定信号が複数回送信されるため、最初のグループ設定信号の送信時に、伝送線路が災害等の理由によって断線していたり受信機の電源がＯＦＦになっている場合であっても、２回目以降のグループ設定信号の送信時には、伝送線路が復旧していたり受信機の電源がＯＮとなっている可能性があるため、従来のように１回のみのグループ設定信号の送信に依存していた場合に比べて、グループ設定の確実性を向上させることができる。
【００１４】
また、請求項２に記載の告知放送システムによれば、重要度の高いグループ程、狭い間隔で、かつ、多い回数だけ、グループ設定信号の送信が繰り返されるように設定する等、重要度に応じた間隔又は回数でグループ設定信号の送信を繰り返すことができるので、グループ設定信号によって告知放送に悪影響を与える可能性を低減しつつ、グループ設定の確実性を重要度に応じて一層向上させることが可能となる。
【００１５】
また、請求項３に記載の告知放送システムによれば、一般告知放送が少ない時間帯には、狭い間隔で、かつ、多い回数だけ、送信が繰り返されるように設定する等、送信時刻に応じた間隔又は回数でグループ設定信号の送信を繰り返すことができるので、グループ設定信号によって告知放送に悪影響を与える可能性を低減しつつ、グループ設定の確実性を送信時刻に応じて一層向上させることが可能となる。
【発明を実施するための最良の形態】
【００１６】
以下に添付図面を参照して、本発明に係る告知放送システムの実施の形態について説明する。ただし、この実施の形態によって本発明が限定されるものではない。
【００１７】
（構成）
最初に、この実施の形態に係る告知放送システムの構成を説明する。図１は本実施の形態に係る告知放送システムの構成を示すブロック図である。この図１に示すように、告知放送システム１は、センター側に配置されたセンター装置１０、各住戸に配置された受信機２０、及びセンター装置１０から送信された信号を受信機２０に送信する伝送系統４０を備えて構成されている。なお、特記する構成を除き、センター装置１０、受信機２０、及び伝送系統４０は、従来の告知放送システムと同様に構成することができる。
【００１８】
（構成−センター装置）
このうち、センター装置１０は、告知放送信号を送信するものであり、特許請求の範囲における送信手段に対応する。このセンター装置１０は、操作部１１、表示部１２、マイク１３、ＢＧＭ源１４、メモリ１５、計時回路１６、送信部１７、及び制御部１８を備えて構成されている。
【００１９】
操作部１１は、当該センター装置１０に対する各種の操作を行うための操作手段であり、例えば、各種の図示しないスイッチを含んで構成されている。表示部１２は、所要の情報を操作者に向けて表示するための表示手段であり、例えば、図示しないモニタや表示灯を含んで構成されている。マイク１３は、告知放送用の音声を入力するための音声入力手段である。ＢＧＭ源１４は、告知放送用の背景音楽の音源になる音源手段である。計時回路１６は、現在時刻を出力するもので、特許請求の範囲における計時手段に対応する。送信部１７は、告知放送信号をヘッドエンド４１へ送信する送信手段である。
【００２０】
メモリ１５は、当該センター装置１０の各種制御に必要な情報を記録するもので、特にグループアドレスの設定を行うためのグループ設定テーブルを記憶するものであって、特許請求の範囲における送信側記憶手段に対応する。このメモリ１５の具体的構成は任意であるが、例えば、ＲＡＭ（Ｒａｎｄｏｍ  Ａｃｃｅｓｓ  Ｍｅｍｏｒｙ）やフラッシュメモリを用いることができる。ここで、「グループアドレス」とは、グループ放送を行うためのアドレスであって、受信手段を区分するグループを一意に識別するための識別情報である。なお、後述する「個別アドレス」とは、各受信機２０を一意に識別するための識別情報である。
【００２１】
図２には、グループ設定テーブルの構成例を示す。このグループ設定テーブルには、「時刻」、「重要度」、「送信間隔」、及び「送信回数」の各項目や、これら各項目毎に予め設定された情報が、相互に対応付けて格納されている。項目「時刻」に対応する情報は、グループアドレスの設定を行うためのグループ設定信号を送信する際の送信時間帯を区分する情報であって、ここでは「８：００〜２１：００」と「２１：００〜８：００」の２つの時間帯に区分されている。項目「重要度」に対応する情報は、グループアドレス毎の重要度を特定する重要度情報であって、ここでは「１」と「２」の２つのレベルに区分されている（本実施の形態では、重要度＝１より重要度＝２の方が重要度が高いものとする）。項目「送信間隔」に対応する情報は、グループ設定信号を送信する所定の間隔を特定する情報であり、例えば「６０」とある場合には６０分毎にグループ設定信号を１回送信することを意味する。項目「送信回数」に対応する情報は、グループ設定信号を送信する所定の回数を特定する情報であり、例えば「３」とある場合にはグループ設定信号を合計で３回送信することを意味する。
【００２２】
制御部１８は、当該センター装置１０の各部を制御する制御手段であり、例えば、図示しないＣＰＵ（Ｃｅｎｔｒａｌ  Ｐｒｏｃｅｓｓｉｎｇ  Ｕｎｉｔ）及びこのＣＰＵ上で解釈実行されるプログラムを含んで構成されている（制御部３０も同じ）。この制御部１８は、機能概念的に、グループ設定制御部１８ａを備える。このグループ設定制御部１８ａは、受信機２０を区分するグループを一意に識別するためのグループアドレスと、グループアドレスの設定を指示する制御コマンドと、を含んだグループ設定信号を伝送系統４０を介して受信機２０に送信するもので、特許請求の範囲における送信側グループ設定制御手段に対応する。このグループ設定制御部１８ａの具体的機能については後述する。
【００２３】
（構成−受信機）
次に、図１の受信機２０について説明する。受信機２０は、告知放送信号を受信すると共に告知放送の出力を行うもので、特許請求の範囲における受信手段に対応する。この受信機２０は、復調部２１、音声切換え部２２、音声記録部２３、音量調整部２４、アンプ２５、スピーカ２６、操作部２７、表示部２８、メモリ２９、及び制御部３０を備えて構成されている。
【００２４】
復調部２１は、センター装置１０から送信された告知放送信号を復調する告知放送復調手段であり、音声情報を音声切換え部２２に出力すると共に制御情報を制御部３０に出力する。音声切換え部２２は、復調部２１から出力された音声情報を音声記録部２３又は音量調整部２４に出力し、あるいは、音声記録部２３から出力された音声情報を音量調整部２４に出力する音声切換え手段である。音声記録部２３は、音声情報を所定回数だけ録音する音声情報格納手段である。音量調整部２４は、音声切換え部２２から出力された音声情報の音量を調整してアンプ２５に出力する。この音声情報は、アンプ２５にて増幅された後、スピーカ２６から出力される。このスピーカ２６は、音声記録部２３にて録音された音声情報を再生する再生手段である。操作部２７は、当該受信機２０に対する各種の操作を行うための操作手段である。表示部２８は、所要の情報をユーザに向けて表示するための表示手段である。
【００２５】
メモリ２９は、当該受信機２０の各種制御に必要な情報を記録する記録手段である。このメモリ２９の具体的構成は任意であるが、情報を書換え可能な記録媒体を用いて構成され、例えば、フラッシュメモリ等の不揮発性記憶媒体を用いることができる。メモリ２９には、特に個別アドレスが当該受信機２０の工場からの出荷前に予め任意の方法で記憶されると共に、グループアドレスが後述するグループ設定処理によって記憶される。
【００２６】
制御部３０は、当該受信機２０の各部を制御する制御手段である。この制御部３０は、機能概念的に、グループ設定制御部３０ａを備える。このグループ設定制御部３０ａは、伝送系統４０を介してセンター装置１０から送信されたグループ設定信号を受信した場合において、当該グループ設定信号に含まれる制御コマンドによってグループアドレスの設定が指示されている場合には、当該グループ設定信号に含まれるグループアドレスを、当該受信機２０が属するグループのグループアドレスとして、当該受信機２０のメモリ２９に記憶させるもので、特許請求の範囲における受信側グループ設定制御手段に対応する。このグループ設定制御部３０ａの具体的機能については後述する。
【００２７】
図３は、受信機２０の正面図である。受信機２０は、方形箱状の筐体の内部に、上述した当該受信機２０の各部のうち、操作部２７、及び表示部２８を除く各部を収容して構成されている。操作部２７としては、具体的には、ＦＭ放送を選択するためのＦＭ放送選択スイッチ２７ａ、録音された告知放送の再生を指示するための告知再生スイッチ２７ｂ、及び放送音量を調節するためのボリュームスイッチ２７ｃが設けられている。表示部２８としては、具体的には、電源ＯＮ時に点灯する電源表示灯２８ａ、緊急放送時に点灯又は点滅する緊急放送表示灯２８ｂ、及び一般放送時に点灯又は点滅する一般放送表示灯２８ｃを備える。
【００２８】
（構成−伝送系統）
図１に戻り、伝送系統４０は、ヘッドエンド４１、このヘッドエンド４１から各住戸の受信機２０に至る伝送線路４２、さらに、この伝送線路４２に配置された、アンプ４３、分配増幅器４４、分配器４６、及び保安器４８を備えて構成されている。ヘッドエンド４１は、センター装置１０の送信部１７から送信された信号を受信し、この信号をレベル増幅した上で伝送線路４２に送出する増幅送信手段である。伝送線路４２は、告知放送信号を送信する送信線路であり、例えば、ＣＡＴＶ信号を伝送するＣＡＴＶ伝送線路（同軸ケーブル）が用いられる。アンプ４３は、伝送線路４２を流れる信号を増幅する増幅手段である。分配増幅器４４は、信号を増幅した上で、各住戸に向けて分配する分配増幅手段である。分配器４６は、分配増幅器４４にて増幅された信号を各住戸に向けて分配する分配手段である。保安器４８は、各住戸に設けられ、伝送線路４２に乗って受信機２０に至る直流成分を制御する。
【００２９】
（処理−告知放送処理）
次に、このように構成された告知放送システム１における告知放送処理について説明する。最初に、センター装置１０における告知放送処理について説明する。図４は、センター装置１０における告知放送処理のフローチャートである。センター側の操作者は、図１のセンター装置１０のマイク１３及びＢＧＭ源１４を用いて、任意の音声情報を入力する。この時、操作者は、操作部１１を用いて、告知放送が一般放送であるか緊急放送であるかを指定し、一般放送である場合にはその放送予定日時を入力する。一般放送とは、緊急性を要しない方法であり、例えば地域のイベント情報や定期放送が該当し、緊急放送とは、緊急性を要する放送であり、例えば災害情報が該当する。また、操作者は、操作部１１を用いて、受信先となる受信機２０を指定するため、個別アドレス又はグループアドレスの少なくとも一方を指定する。
【００３０】
これら各種の入力を受けたセンター装置１０の制御部１８は（ステップＳＡ−１，Ｙｅｓ）、告知放送が一般放送であるか緊急放送であるかを操作者による指定内容に基づいて判定し（ステップＳＡ−２）、緊急放送であると判定した場合には（ステップＳＡ−２，Ｙｅｓ）、操作者に指定された受信機２０の個別アドレス又はグループアドレスと緊急放送であることを特定する情報とを含んだ放送コマンドを生成する（ステップＳＡ−３）。そして、この放送コマンドと操作者に入力された音声情報とを、所定周波数のキャリアに乗せて変調することによって告知放送信号を生成し、この告知放送信号を送信部１７を介してヘッドエンド４１に送信する（ステップＳＡ−４）。
【００３１】
一方、一般放送であると判定した場合（ステップＳＡ−２，Ｎｏ）、制御部１８は、操作者に指定された受信機２０の個別アドレス又はグループアドレスと一般放送であることを特定する情報とを含んだ放送コマンドを生成する（ステップＳＡ−５）。そして、この放送コマンドと操作者に入力された音声情報とを、メモリ１５に記録させる（ステップＳＡ−６）。その後、制御部１８は、操作者に指定された放送予定日時が到来したか否かを計時回路１６からの現在時刻に基づいて監視し（ステップＳＡ−７）、放送予定日時が到来した場合には（ステップＳＡ−７，Ｙｅｓ）、メモリ１５から放送コマンドと音声情報を取得する。そして、制御部１８は、これら放送コマンドと音声情報を、所定周波数のキャリアに乗せて変調することによって告知放送信号を生成し、この告知放送信号を送信部１７を介してヘッドエンド４１に送信する（ステップＳＡ−４）。これにてセンター装置１０における告知放送処理が終了する。
【００３２】
次に、受信機２０における告知放送処理について説明する。この受信機２０における告知放送処理のフローチャートを図５に示す。上述の処理によってセンター装置１０から送信された告知放送信号を受信したヘッドエンド４１は、当該告知放送信号を伝送線路４２を介して送信する。このように送信された告知放送信号は、アンプ４３、分配増幅器４４、あるいは、分配器４６によって増幅や分配された後、各住戸の保安器４８に到達し、この保安器４８を通過した告知放送信号が受信機２０に入力される（後述するグループ設定処理におけるグループ設定信号の伝送も同様）。
【００３３】
受信機２０では、入力された告知放送信号が復調部２１にて復調され（ステップＳＢ−１)、放送コマンドが制御部３０に入力されると共に、音声情報が音声切換え部２２を介して音量調整部２４及び音声記録部２３に出力される。制御部３０は、放送コマンドに含まれるアドレスが、メモリ２９に予め記録されている自己の個別アドレス又はグループアドレスに合致するか否かを判定し（ステップＳＢ−２）、合致しない場合には（ステップＳＢ−２，Ｎｏ）、告知放送処理を終了し、合致する場合には（ステップＳＢ−２，Ｙｅｓ）、音声情報が出力されるように、音声切換え部２２に制御信号を出力する。この制御信号を受信した音声切換え部２２は、復調された音声情報を音量調整部２４に出力する。この音声情報は、音量調整部２４による音量調整とアンプ２５による増幅とを経て、スピーカ２６から出力される。
【００３４】
この時、制御部３０は、放送コマンドによって当該告知放送が緊急告知放送である旨が示されているか否かを判定し（ステップＳＢ−３）、緊急告知放送である場合には（ステップＳＢ−３，Ｙｅｓ）、緊急放送表示灯２８ｂを点灯又は点滅させると共に、音量調整部２４を制御することで、緊急告知放送用の所定の大音量で音声情報を出力させる（ステップＳＢ−４）。一方、制御部３０は、放送コマンドによって当該告知放送が一般告知放送である旨が示されている場合には（ステップＳＢ−３，Ｎｏ）、一般放送表示灯２８ｃを点灯又は点滅させると共に、音量調整部２４を制御することで、ボリュームスイッチにて設定されている音量で音声情報を出力させる（ステップＳＢ−５）。
【００３５】
このように出力制御が行われた後、制御部３０は、音声情報を音声記録部２３によって記録する（ステップＳＢ−６）。その後、ユーザが任意のタイミングで告知再生スイッチ２７ｂを介して再生指示を行なった場合（ステップＳＢ−７，Ｙｅｓ）、制御部３０は、音声記録部２３にて記録された音声情報を音声切換え部２２を介して音量調整部２４に出力し、スピーカ２６から出力させる（ステップＳＢ−８）。これにて受信機２０における告知放送処理が終了する。
【００３６】
（処理−グループ設定処理）
センター装置１０から受信機２０にグループアドレスを設定するためのグループ処理について説明する。最初に、センター装置１０におけるグループ設定処理について説明する。図６は、センター装置１０におけるグループ設定処理のフローチャートである。センター側の操作者は、センター装置１０の操作部１１を用いて、グループアドレスを設定する旨と、グループアドレスの設定対象としたい受信機２０の個別アドレス、及び新規に設定したいグループアドレスを入力する。このグループアドレスは、例えば、１０００グループ迄設定可能となっており、この中から設定したいグループアドレスを「グループアドレス＝ＧＰ００１」のように入力する。
【００３７】
センター装置１０のグループ設定制御部１８ａは、これら操作者からの入力を受けた場合（ステップＳＣ−１，Ｙｅｓ）、計時回路１６から現在時刻を取得し（ステップＳＣ−２）、この現在時刻と設定するグループアドレスの重要度とに対応する所定の送信間隔及び所定の送信回数を、メモリ１５に格納されているグループ設定テーブルから取得する（ステップＳＣ−３）。この際の重要度の特定方法としては、例えば、（１）操作者に、グループアドレス等の入力時に、操作部１１を用いて重要度を入力させる方法や、（２）グループの種類と重要度とを対応付けた重要度テーブルをメモリ１５に予め格納しておき（例えば、グループの種類＝「老人会」の場合には重要度＝１、グループの種類＝「消防関係者」の場合には重要度＝２）、操作者に、グループアドレス等の入力時に、操作部１１を用いてグループの種類を入力させ、当該入力されたグループの種類に対応する重要度を重要度テーブルから取得する方法を挙げることができる。
【００３８】
図２の例では、重要度と時刻のいずれの組み合わせにおいても、送信回数として少なくとも２回以上（複数）の回数が設定されている。従って、後述するステップＳＣ−５において、グループ設定信号が少なくとも２回以上（複数回）送信されるため、従来のように１回のみの送信に依存していた場合に比べて、グループ設定の確実性を向上させることができる。
【００３９】
ここで、グループ設定の確実性の観点からは、グループ設定信号の送信間隔が短い程（高頻度で送信が行われる程）、かつ、グループ設定信号の送信回数が多い程、好ましいと考えることができるが、送信間隔が短すぎたり、送信回数が多すぎる場合には、告知放送の障害となる等、悪影響が生じる懸念がある。このため、図２の例では、間隔又は回数が「重要度」に応じて異なるように設定されている。具体的には、重要度が高い程（重要度＝１より重要度＝２の場合に）、狭い間隔（すなわち高頻度）で、かつ、多い回数だけ、送信が繰り返されるように設定されている。このことにより、重要度の高いグループ程、グループ設定の確実性を一層向上させることができる。
【００４０】
また、図２の例では、間隔又は回数が時刻に応じて異なるように設定されている。具体的には、昼間帯（８：００から２１：００）よりも、夜間帯（２１：００から８：００）の方が、狭い間隔（すなわち高頻度）で、かつ、多い回数だけ、送信が繰り返されるように設定されている。このことにより、一般告知放送が少ない夜間帯には、グループ設定信号を高頻度で多回数送信することでグループ設定の確実性を一層向上させる一方、一般告知放送が多い昼間帯には、グループ設定信号を最小限で複数回繰り返すことで一般告知放送の障害となる可能性を低減することができる。
【００４１】
次いで、グループ設定制御部１８ａは、ステップＳＣ−１で入力された個別アドレス及びグループアドレスと、グループアドレスの設定を指示する制御コマンドとを含んだグループ設定信号を生成し（ステップＳＣ−４）、このグループ設定信号を伝送線路４２を介して受信機２０に送信する（ステップＳＣ−５）。その後、グループ設定信号を送信した回数（以下「実送信回数」。初期値＝０）を一つ増分し（ステップＳＣ−６）、実送信回数がステップＳＣ−３で取得した送信回数に達する迄（ステップＳＣ−７）、ステップＳＣ−３で取得した送信間隔が経過する毎に（ステップＳＣ−８）、グループ設定信号を繰り返して送信する（ステップＳＣ−５）。以降、ステップＳＣ−５からＳＣ−８の処理を繰り返し、実送信回数がステップＳＣ−３で取得した送信回数に達した場合には（ステップＳＣ−７，Ｙｅｓ）、センター装置１０におけるグループ設定処理を終了する。
【００４２】
最後に、受信機２０におけるグループ設定処理について説明する。図７は、受信機２０におけるグループ設定処理のフローチャートである。受信機２０のグループ設定制御部３０ａは、グループ設定信号の入力を受けた場合（ステップＳＤ−１，Ｙｅｓ）、このグループ設定信号に含まれる制御コマンドに基づいて当該グループ設定処理を実行する。具体的には、グループ設定制御部３０ａは、グループ設定信号に含まれる個別アドレスが、予めメモリ２９に設定された個別アドレスに合致するか否かを判定し（ステップＳＤ−２）、合致しない場合には（ステップＳＤ−２，Ｎｏ）、グループ設定処理を終了し、合致する場合には（ステップＳＤ−２，Ｙｅｓ）、グループ設定信号に含まれるグループアドレスを自己のグループアドレスとしてメモリ２９に設定する（ステップＳＤ−３）。これにて受信機２０におけるグループ設定処理を終了する。
【００４３】
その後、このように設定されたグループアドレスを含んだ告知放送信号がセンター装置１０から受信機２０に送信された場合、受信機２０の告知放送処理では、図５のステップＳＢ−２において、メモリ２９に設定されたグループアドレスが告知放送信号に含まれるグループアドレスに合致すると判定されることになり、この告知放送信号による告知放送が当該受信機２０において行われることになる。
【００４４】
（実施の形態の効果）
このように本実施の形態によれば、グループ設定信号が複数回送信されるため、最初のグループ設定信号の送信時に、伝送線路４２が災害等の理由によって断線していたり受信機２０の電源がＯＦＦになっている場合であっても、２回目以降のグループ設定信号の送信時には、伝送線路４２が復旧していたり受信機２０の電源がＯＮとなっている可能性があるため、従来のように１回のみのグループ設定信号の送信に依存していた場合に比べて、グループ設定の確実性を向上させることができる。
【００４５】
また、重要度の高いグループ程、狭い間隔で、かつ、多い回数だけ、グループ設定信号の送信が繰り返されるように設定する等、重要度に応じた間隔又は回数でグループ設定信号の送信を繰り返すことができるので、グループ設定信号によって告知放送に悪影響を与える可能性を低減しつつ、グループ設定の確実性を重要度に応じて一層向上させることができる。
【００４６】
また、一般告知放送が少ない時間帯には、狭い間隔で、かつ、多い回数だけ、送信が繰り返されるように設定する等、送信時刻に応じた間隔又は回数でグループ設定信号の送信を繰り返すことができるので、グループ設定信号によって告知放送に悪影響を与える可能性を低減しつつ、グループ設定の確実性を送信時刻に応じて一層向上させることができる。
【００４７】
〔実施の形態に対する変形例〕
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００４８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００４９】
（送信間隔及び送信回数の設定について）
なお、上記実施の形態では、グループの重要度及びグループ設定信号の送信時刻に応じてグループ設定信号の送信間隔及び送信回数を設定しているが、これら重要度や送信時刻に関わらず、一律の所定の送信間隔や送信回数でグループ設定信号を送信してもよい。また、グループの重要度とグループ設定信号の送信時刻のいずれか一方に応じて設定を行うことや、グループ設定信号の送信間隔や送信回数のいずれか一方のみを設定して他方は所定の一律の設定値としてもよい。
【００５０】
また、重要度や送信時刻以外の他の基準を用いて、送信間隔や送信回数を調整してもよい。例えば、緊急放送は災害発生時に行われることが多く、緊急放送を行った場合には伝送線路４２が災害によって断線している可能性が高いものと考えられる。この場合、当該緊急放送後の所定日時以内（例えば１週間以内）にグループ設定処理が指示された場合には、グループ設定信号が伝送線路４２の断線によって正しく送信されていない可能性があるため、当該所定日時以降にグループ設定処理が指示された場合に比べて、グループ設定信号の繰り返し送信の送信間隔を狭めたり送信回数を増やしてもよい。具体的には、制御部１８は、図４のステップＳＡ−２において緊急放送を行ったと判定した場合には、この緊急放送を行った時刻を計時回路１６から取得してメモリ１５に記憶させる。そして、グループ設定制御部１８ａは、図６のステップＳＣ−１において操作者からの入力を受けた場合、計時回路１６から現在時刻を取得し、この現在時刻がメモリ１５に記憶させた時刻から所定日時以内であるか否かを判定し、この判定結果に応じて送信間隔や送信回数を決定する。また、伝送線路４２が断線したり、停電していることも考えられるため、所定期間毎（例えば１週間毎や１ヶ月毎）に全てのグループを再送信して設定するようにしても良い。また、グループ設定信号の送信中に放送する告知放送が入った場合は、告知放送を優先とし、グループ設定信号の送信時間をずらして再送信しても良い。
【図面の簡単な説明】
【００５１】
【図１】本発明の一実施の形態に係る告知放送システムの構成を示すブロック図である。
【図２】グループ設定テーブルの構成例を示す図である。
【図３】受信機の正面図である。
【図４】センター装置における告知放送処理のフローチャートである。
【図５】受信機における告知放送処理のフローチャートである。
【図６】センター装置におけるグループ設定処理のフローチャートである。
【図７】受信機におけるグループ設定処理のフローチャートである。
【符号の説明】
【００５２】
１  告知放送システム
１０  センター装置
１１、２７  操作部
１２、２８  表示部
１３  マイク
１４  ＢＧＭ源
１５、２９  メモリ
１６  計時回路
１７  送信部
１８、３０  制御部
１８ａ、３０ａ  グループ設定制御部
２０  受信機
２１  復調部
２２  音声切換え部
２３  音声記録部
２４  音量調整部
２５、４３  アンプ
２６  スピーカ
２７ａ  ＦＭ放送選択スイッチ
２７ｂ  告知再生スイッチ
２７ｃ  ボリュームスイッチ
２８ａ  電源表示灯
２８ｂ  緊急放送表示灯
２８ｃ  一般放送表示灯
４０  伝送系統
４１  ヘッドエンド
４２  伝送線路
４４  分配増幅器
４６  分配器
４８  保安器
【図１】
2010045654.tif 000003
【図２】
2010045654.tif 000004
【図３】
2010045654.tif 000005
【図４】
2010045654.tif 000006
【図５】
2010045654.tif 000007
【図６】
2010045654.tif 000008
【図７】
2010045654.tif 000009